(57)【要約】【課題】地震などの外乱によって建屋が変形した際にシール切れが発生せず、紫外線によるシール材の劣化も低減することが可能な二重折板屋根の水上端部防臭構造を提供する。【解決手段】折板からなる下弦材１２の上に折板からなる上弦材１３が断熱材１４を挟んで配置された片流れ式の二重折板屋根１０において、下弦材１２の水上端部と外壁上端部１６ａとを覆う下弦材用水上包み１７が、下弦材１２の水上端部の上面を覆う第１の水上包み材２５と、外壁上端部１６ａの外面及び上端面を覆う第２の水上包み材２６とからなり、第１の水上包み材２５と第２の水上包み材２６が弾性材２７を介して接続され、外壁上端部１６ａの外面を覆う、第２の水上包み材２６の部位が部分的に外方に膨出し、第２の水上包み材２６と外壁上端部１６ａの外面との間に部分的な間隙Ｄが形成され、第２の水上包み材２６と外壁１６の上端面との間にシール材Ａ２１が介装されている。【選択図】図１
2014224356.tif 000002
【特許請求の範囲】
【請求項１】
折板からなる下弦材の上に折板からなる上弦材が断熱材を挟んで配置された片流れ式の二重折板屋根の水上端部防臭構造において、
前記下弦材の水上端部と該水上端部に対峙する外壁上端部とを覆う下弦材用水上包みが、前記下弦材の水上端部の上面を覆う第１の水上包み材と、前記外壁上端部の外面及び上端面を覆う第２の水上包み材とからなり、前記第１の水上包み材と前記第２の水上包み材が弾性材を介して接続され、
前記外壁上端部の外面を覆う、前記第２の水上包み材の部位が部分的に外方に膨出し、前記第２の水上包み材と前記外壁上端部の外面との間に部分的な間隙が形成され、
前記第２の水上包み材と前記外壁の上端面との間にシール材Ａが介装されていることを特徴とする二重折板屋根の水上端部防臭構造。
【請求項２】
請求項１記載の二重折板屋根の水上端部防臭構造において、前記第１の水上包み材と前記下弦材の水上端部との接合部に介装されるシール材Ｂ、及び前記第２の水上包み材と前記外壁上端部の外面との接合部に介装されるシール材Ｃがそれぞれ、前記第１又は第２の水上包み材の外縁に近接して配置される第１のシール材と前記第１のシール材より内方に配置される第２のシール材とから構成されていることを特徴とする二重折板屋根の水上端部防臭構造。
【発明の詳細な説明】
【技術分野】
【０００１】
本発明は、ごみ処理場のごみピットや汚水処理場の汚水処理槽等を収容する建屋の屋根に関し、特に、片流れとされた二重折板屋根の水上端部防臭構造に関する。
【背景技術】
【０００２】
一般家庭や工場等から排出されるごみは、通常、ごみ処理場に設置されているごみピット建屋内に一時的に仮置きされた後、ガス化溶融炉等の廃棄物処理炉に投入され減容化処理が行われる。片流れ式の二重折板屋根を有するごみピット建屋では、仮置きされたごみから発散される臭気が屋根の隙間から外部に漏れ出ないようにするため、二重折板屋根の水上端部を図５に示す構造として気密性を確保している。
【０００３】
図５に示すように、ごみピット建屋の二重折板屋根１１は、折板からなる下弦材１２及び上弦材１３と、下弦材１２と上弦材１３の間の空間に充填されるグラスウール１５とから概略構成され、下弦材１２と上弦材１３の各水上端面は止（トメ）面戸３０によって封止されている。また、下弦材１２の水上端部と該水上端部に対峙する外壁１６との間に形成される間隙は、Ｌ字形の板材からなる下弦材用水上包み１８によって覆われ、下弦材１２の水上端部と下弦材用水上包み１８との接合部及び外壁１６と下弦材用水上包み１８との接合部には防水テープなどのシール材３１が介装されている。下弦材用水上包み１８は、Ｌ字形の板材からなる上弦材用水上包み２０によってさらに覆われ、下弦材用水上包み１８と上弦材用水上包み２０の間の空間にはグラスウール１５が充填されている。
【０００４】
他方、特許文献１では、清掃工場のごみピットや汚水処理場の汚水処理槽等を収容する建屋の屋根構造として、折板屋根を支持する鉄骨梁の下フランジ間にフラットデッキを架設し、該フラットデッキの上面に気密性シートを敷設して、気密性シートの周縁部をシール材を介して鉄骨梁のウェブに接着する技術が開示されている。
【先行技術文献】
【特許文献】
【０００５】
【特許文献１】特開２０１２−１３２２００号公報
【発明の概要】
【発明が解決しようとする課題】
【０００６】
しかしながら、図５に示す水上端部構造を有するごみピット建屋の場合、地震などの外乱によってごみピット建屋が変形した際、部材間の隙間を封止しているシール材が当該変形に追従できずに破断して気密性が損なわれるおそれがある。また、紫外線によってシール材が劣化して破断するおそれもある。
さらにまた、特許文献１に記載されている気密性シートを使用するにしても、二重折板屋根の水上端部は山部と谷部が交互に並んだ形状をしているため、気密性シートの加工及び施工に手間がかかり過ぎるという問題がある。
【０００７】
本発明はかかる事情に鑑みてなされたもので、地震などの外乱によって建屋が変形した際にシール切れが発生せず、紫外線によるシール材の劣化も低減することが可能な二重折板屋根の水上端部防臭構造を提供することを目的とする。
【課題を解決するための手段】
【０００８】
上記目的を達成するため、本発明は、折板からなる下弦材の上に折板からなる上弦材が断熱材を挟んで配置された片流れ式の二重折板屋根の水上端部防臭構造において、
前記下弦材の水上端部と該水上端部に対峙する外壁上端部とを覆う下弦材用水上包みが、前記下弦材の水上端部の上面を覆う第１の水上包み材と、前記外壁上端部の外面及び上端面を覆う第２の水上包み材とからなり、前記第１の水上包み材と前記第２の水上包み材が弾性材を介して接続され、
前記外壁上端部の外面を覆う、前記第２の水上包み材の部位が部分的に外方に膨出し、前記第２の水上包み材と前記外壁上端部の外面との間に部分的な間隙が形成され、
前記第２の水上包み材と前記外壁の上端面との間にシール材Ａが介装されていることを特徴としている。
【０００９】
本発明では、下弦材用水上包みを第１及び第２の水上包み材から構成し、第２の水上包み材と外壁上端部の外面との間に部分的な間隙（余裕代）を設けているので、地震などの外乱によって建屋が変形した際、下弦材用水上包みが外壁に対して相対変形することができる。そのため、シール材に作用する負荷が低減され、シール切れが発生することがない。
加えて、第２の水上包み材と外壁の上端面との間にシール材Ａを介装しているので気密性が向上すると共に、下弦材用水上包みによって紫外線が遮断されるのでシール材Ａの劣化が低減される。
【００１０】
また、本発明に係る二重折板屋根の水上端部防臭構造では、前記第１の水上包み材と前記下弦材の水上端部との接合部に介装されるシール材Ｂ、及び前記第２の水上包み材と前記外壁上端部の外面との接合部に介装されるシール材Ｃがそれぞれ、前記第１又は第２の水上包み材の外縁に近接して配置される第１のシール材と前記第１のシール材より内方に配置される第２のシール材とから構成されていることを好適とする。
【００１１】
下弦材用水上包みと下弦材の水上端部及び外壁上端部との各接合部に介装されるシール材Ｂ及びシール材Ｃをそれぞれ第１及び第２のシール材からなる二重シール構造とするので、第１及び第２のシール材の一方が破断した場合でも他方のシール材によって気密性を確保することができる。
【発明の効果】
【００１２】
本発明に係る二重折板屋根の水上端部防臭構造では、下弦材用水上包みを第１及び第２の水上包み材から構成し、第２の水上包み材と外壁上端部の外面との間に部分的な間隙を設けているので、地震などの外乱によって建屋が変形した際に、下弦材用水上包みが外壁に対して相対変形し、シール切れが発生することがない。
また、第２の水上包み材と外壁の上端面との間にシール材Ａを介装することで、下弦材用水上包みによって紫外線が遮断されシール材Ａの劣化が低減される。
【図面の簡単な説明】
【００１３】
【図１】本発明の一実施の形態に係る二重折板屋根の水上端部防臭構造の断面図である。
【図２】同二重折板屋根の水上端部防臭構造の分解斜視図である。
【図３】図２のＦ部の詳細図である。
【図４】同二重折板屋根の水上端部防臭構造の分解断面図である。
【図５】従来の二重折板屋根の水上端部防臭構造の断面図である。
【発明を実施するための形態】
【００１４】
続いて、添付した図面を参照しつつ、本発明を具体化した実施の形態について説明し、本発明の理解に供する。なお、以下の説明における「外壁上端部の外面」とは、建屋内側の壁面ではなく、屋外に面する側の壁面を指す。
【００１５】
本発明の一実施の形態に係る二重折板屋根の水上端部防臭構造では、ごみピットを収容するごみピット建屋の屋根を例に採り説明する。ごみピット建屋は鉄骨造とされ、外壁はＡＬＣパネル（オートクレーブ養生された軽量気泡コンクリート板）などの外壁パネルから構成されている。また、ごみピット建屋の屋根は片流れ式の二重折板屋根とされている。本実施の形態に係る二重折板屋根１０の水上端部防臭構造の断面図を図１に、分解斜視図を図２に示す。
【００１６】
二重折板屋根１０は、山部と谷部が交互に並んだ形状を有する折板からなる下弦材１２及び上弦材１３から概略構成されている。山部と谷部が交互に形成された帯板からなるタイトフレーム４２が、Ｈ形鋼からなる鉄骨梁４０の上フランジ上に溝形鋼４１を介して固定されており、下弦材１２はタイトフレーム４２に取り付けられている。また、下弦材１２の稜線上には断熱金具４３が装着され、下弦材１２の水上端部より水下側に上弦材１３の水上端部を偏倚させた状態で、上弦材１３が断熱金具４３に取り付けられている。下弦材１２と上弦材１３の間の空間には、厚さ１００ｍｍ程度のポリ入グラスウールからなる断熱材１４が充填されている。
なお、下弦材１２及び上弦材１３を構成する折板はそれぞれ、厚さ０．８ｍｍ程度のガルバリウム鋼板から形成されている。
【００１７】
下弦材１２及び上弦材１３の各水上端面は、その谷部が逆台形状の止面戸３０で封止されている（図３参照）。下弦材１２と止面戸３０の境界部及び上弦材１３と止面戸３０の境界部には、変成シリコンからなるシール材がそれぞれ充填されている。
【００１８】
下弦材１２の水上端部と該水上端部に対峙する外壁１６との間に形成される間隙を封止するため、下弦材用水上包み１７が下弦材１２の水上端部と外壁上端部１６ａを覆っている。下弦材用水上包み１７は、下弦材１２の水上端部の上面を覆う第１の水上包み材２５と、外壁上端部１６ａの外面及び上端面（頂面）を覆う第２の水上包み材２６とから構成されている（図４参照）。
【００１９】
第１の水上包み材２５及び第２の水上包み材２６は、折板と同じガルバリウム鋼板の板材で形成されている。第１の水上包み材２５の一方の端部と第２の水上包み材２６の一方の端部はそれぞれ上方に折り曲げられて接続部２５ａ、２６ａとされ、ビス３５で接続されている（図４参照）。なお、第１の水上包み材２５の接続部２５ａと第２の水上包み材２６の接続部２６ａ間にはブチルテープ等からなる弾性材２７が介装され、接続部２５ａ、２６ａの間から臭気が外部に漏出しないようになっている。
【００２０】
第１の水上包み材２５の他方の端部２５ｂは、下弦材１２の水上端部の稜線に装着された馳（ハゼ）面戸３２にビス３５で接合されている。また、馳面戸３２と第１の水上包み材２５との間の接合部、並びに下弦材１２の水上端面を封止する止面戸３０の上面と第１の水上包み材２５との間の接合部には、シール材Ｂ２８がそれぞれ介装されている。図３に示すように、シール材Ｂ２８は、第１の水上包み材２５の外縁に近接して配置される第１のシール材２３と第１のシール材２３より内方に配置される第２のシール材２４から構成されている。
なお、第１のシール材２３には発泡シールテープ等、第２のシール材２４には変成シリコン等を使用することができる。
【００２１】
第２の水上包み材２６の他方の端部（下端部）２６ｂは、外壁上端部１６ａの外面にビス３４で接合されている。また、第２の水上包み材２６の他方の端部２６ｂと外壁上端部１６ａの外面との間の接合部には、シール材Ｃ２９が介装されている。即ち、第２の水上包み材２６の外縁（下縁）に近接した位置に第１のシール材２３が、第１のシール材２３より内方に第２のシール材２４がそれぞれ介装されている。
【００２２】
外壁上端部１６ａの外面を覆う、第２の水上包み材２６の部位は、端部（下端部）２６ｂを除いて部分的に外方に膨出する膨出部２６ｃとされ、第２の水上包み材２６の当該部位と外壁上端部１６ａの外面との間には、部分的な間隙Ｄが形成されている（図１参照）。
また、外壁１６の上端面に対峙する、第２の水上包み材２６の部位は、外壁１６の上端面にビス３４で固定され、当該部位と外壁１６の上端面との間には、発泡シールテープからなるシール材Ａ２１が介装されている。
【００２３】
図１に示すように、下弦材用水上包み１７は、Ｌ字形の板材からなる上弦材用水上包み１９によって覆われ、下弦材用水上包み１７と上弦材用水上包み１９の間の空間には、ポリ入グラスウールからなる断熱材１４が充填されている。また、上弦材用水上包み１９は、Ｌ字形の板材からなるジョイントカバー２２で覆われている。
上弦材用水上包み１９の一方の端部１９ａは、上弦材１３の稜線に装着されたＩ金具４４にボルト３７で固定され、上弦材用水上包み１９の他方の端部１９ｂは、外壁上端部１６ａにビス３６で固定されている。
なお、上弦材用水上包み１９及びジョイントカバー２２は、折板と同じガルバリウム鋼板からなる板材で形成されている。
【００２４】
本実施の形態に係る二重折板屋根１０の水上端部防臭構造では、第２の水上包み材２６と外壁上端部１６ａの外面との間に部分的な間隙Ｄ（余裕代）が形成されているので、地震などの外乱によってごみピット建屋が変形した際、下弦材用水上包み１７（第２の水上包み材２６）は外壁１６に対して相対変形することができる。そのため、シール材Ａ２１やシール材Ｂ２８、シール材Ｃ２９に作用する負荷が低減され、シール材Ａ２１やシール材Ｂ２８、シール材Ｃ２９が破断することがない。また仮に、シール材Ａ２１やシール材Ｂ２８、シール材Ｃ２９の一部が破断したとしても、シール材Ｂ２８及びシール材Ｃ２９が二重シール構造とされているので、臭気が外部に漏出することがない。
さらにまた、シール材Ａ２１や第２のシール材２４では、太陽から放射される紫外線が下弦材用水上包み１７によって遮断されるので、紫外線劣化が低減される。
【００２５】
次に本実施の形態に係る二重折板屋根１０の施工方法について説明する。
（１）凹部を下に向けた状態で溝形鋼４１を鉄骨梁４０の上フランジに溶接する。次いで、溝形鋼４１のウェブ上にタイトフレーム４２を設置する。
（２）折板からなる下弦材１２をタイトフレーム４２に取り付ける。そして、下弦材１２の水上端面の谷部に止面戸３０を取り付け、下弦材１２と止面戸３０の境界部に変成シリコンを充填する。
【００２６】
（３）外壁１６の上端面の下弦材１２側にシール材Ａ２１を貼り付ける。また、外壁上端部１６ａの外面（第２の水上包み材２６の下端部２６ｂと接する箇所）にシール材Ｃ２９を貼り付ける。具体的には、第２の水上包み材２６の下端部２６ｂの外縁（下縁）に近接する位置に第１のシール材２３を、それより内方（上方）に第２のシール材２４を貼り付ける。
（４）第２の水上包み材２６を外壁１６の上端面及び外面にビス３４で固定する。その際、第２の水上包み材２６と外壁１６の上端面との隙間がシール材Ａ２１で完全に塞がれているか確認する。
【００２７】
（５）下弦材１２の水上端部の稜線に装着された馳面戸３２の上面及び止面戸３０の上面にシール材Ｂ２８を貼り付ける。具体的には、第１の水上包み材２５の端部２５ｂの外縁に近接する位置に第１のシール材２３を、それより内方に第２のシール材２４を貼り付ける（図３参照）。
（６）第１の水上包み材２５の接続部２５ａと第２の水上包み材２６の接続部２６ａとの間に弾性材２７を介装し、第１の水上包み材２５の接続部２５ａと第２の水上包み材２６の接続部２６ａをビス３５で接続すると共に、第１の水上包み材２５の他方の端部２５ｂを馳面戸３２の上面にビス３５で固定する。
【００２８】
（７）下弦材１２の稜線に断熱金具４３を装着した後、下弦材１２の上に断熱材１４を配置する。
（８）折板からなる上弦材１３を断熱金具４３に取り付ける。そして、上弦材１３の水上端面の谷部に止面戸３０を取り付け、上弦材１３と止面戸３０の境界部に変成シリコンを充填する。また、上弦材１３の水上端部の稜線にＩ金具４４を装着する。
【００２９】
（９）下弦材用水上包み１７の上に断熱材１４を配置した後、上弦材用水上包み１９の一方の端部１９ａをＩ金具４４にボルト３７で固定すると共に、上弦材用水上包み１９の他方の端部１９ｂを外壁上端部１６ａにビス３６で固定する。
（１０）上弦材用水上包み１９の上にジョイントカバー２２をセットする。
【００３０】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、ごみピット建屋の屋根を例に採り説明しているが、汚水処理場の汚水処理槽等を収容する建屋の屋根でもよいことは言うまでもない。また、上記実施の形態で使用しているシール材の種類はあくまで一例であって、これに限定されるものではない。
【符号の説明】
【００３１】
１０、１１：二重折板屋根、１２：下弦材、１３：上弦材、１４：断熱材、１５：グラスウール、１６：外壁、１６ａ：外壁上端部、１７、１８：下弦材用水上包み、１９、２０：上弦材用水上包み、２１：シール材Ａ、２２：ジョイントカバー、２３：第１のシール材、２４：第２のシール材、２５：第１の水上包み材、２６：第２の水上包み材、２５ａ、２６ａ：接続部、２６ｃ：膨出部、２７：弾性材、２８：シール材Ｂ、２９：シール材Ｃ、３０：止面戸、３２：馳面戸、３４、３５、３６：ビス、３７：ボルト、４０：鉄骨梁、４１：溝形鋼、４２：タイトフレーム、４３：断熱金具、４４：Ｉ金具、Ｄ：間隙
【図１】
2014224356.tif 000003
【図２】
2014224356.tif 000004
【図３】
2014224356.tif 000005
【図４】
2014224356.tif 000006
【図５】
2014224356.tif 000007